(57)【要約】    【課題】  表示画像の品質を低下させずに焼き付きを防止することができる表示装置及び表示方法を提供する。    【解決手段】  表示部にＡＣ型カラーＰＤＰ１０１、データドライバ回路１０２ａ乃至１０２ｅ及びスキャンドライバ回路１０３ａ乃至１０３ｃが設けられ、駆動回路部に入力された映像信号の変換及び処理を行う映像信号処理回路と、同期信号に応じて各回路に駆動信号を出力する駆動信号発生回路と、この駆動信号発生回路から入力された駆動信号に基づいて各データドライバ回路に高圧電源を供給する高圧駆動回路とが設けられた表示装置１０において、駆動回路部の映像信号処理回路の入力側に、特定の領域の映像信号に対して、所定の期間焼き付き防止処理を行う焼き付き防止処理回路を設ける。【選択図】    図１
2005202050.tif 000002
【特許請求の範囲】
【請求項１】
画像を表示する表示部と、この表示部を駆動する駆動回路部と、を有する表示装置において、前記駆動回路部は、入力された映像信号に対し前記表示部の焼き付きを防止するための焼き付き防止処理を施す焼き付き防止回路を有し、この焼き付き防止回路は、表示領域全体の中の焼き付き防止処理を施すべき映像領域を指定する処理領域制御信号を出力する制御部と、前記処理領域制御信号で指定された映像領域の映像信号に所定期間焼き付き防止処理を施す信号処理部と、を有することを特徴とする表示装置。
【請求項２】
焼き付き防止処理の開始時刻及び終了時刻又は開始時刻及び処理期間を設定するタイマー部を有し、前記制御部は前記タイマー部の開始時刻及び終了時刻又は開始時刻及び処理期間を示す信号を入力して前記開始時刻と終了時刻との間、前記処理領域制御信号を出力し、前記信号処理部は前記制御部から前記処理領域制御信号を入力している間、前記焼き付き処理を施すことを特徴とする請求項１に記載の表示装置。
【請求項３】
焼き付き防止処理の開始時刻及び終了時刻又は開始時刻及び処理期間を設定するタイマー部を有し、前記制御部は前記焼き付き防止処理の開始時刻に、前記処理領域制御信号を出力し、前記信号処理部は前記制御部から前記処理領域制御信号を入力した後、前記焼き付き処理を施し、前記終了時刻に又は前記処理期間の経過後、前記焼き付き処理を停止することを特徴とする請求項１に記載の表示装置。
【請求項４】
前記タイマー部は前記焼き付き防止回路に設けられていることを特徴とする請求項２又は３に記載の表示装置。
【請求項５】
前記制御部には、焼き付き防止処理を施すべき映像領域を記憶し、その位置データを出力する領域設定部が設けられていることを特徴とする請求項１乃至４のいずれか１項に記載の表示装置。
【請求項６】
焼き付き防止処理を施すべき映像領域に対応する位置に開口部が形成されている１又は複数のマスクパターンのデータが記憶された記憶部を有し、前記制御部には前記記憶部に記憶されたマスクパターンの中から１又は複数のパターンを選択するパターン選択部が設けられていることを特徴とする請求項１乃至４のいずれか１項に記載の表示装置。
【請求項７】
前記信号処理部で施される焼き付き防止処理は、設定値よりも高輝度の映像信号を設定値まで低下させるクリップ処理であることを特徴とする請求項１乃至６のいずれか１項に記載の表示装置。
【請求項８】
前記信号処理部で施される焼き付き防止処理は、高輝度の映像信号のレベルを一定の割合で低下させることにより最大輝度を低下させるコントラスト圧縮処理であることを特徴とする請求項１乃至６のいずれか１項に記載の表示装置。
【請求項９】
前記信号処理部で施される焼き付き防止処理は、映像信号のレベルを一定の割合で低下させる輝度レベル削減処理であることを特徴とする請求項１乃至６のいずれか１項に記載の表示装置。
【請求項１０】
画像を表示する表示部と、この表示部を駆動する駆動回路部と、前記駆動回路部に設けられ入力された映像信号に対し前記表示部の焼き付きを防止するための焼き付き防止処理を施す焼き付き防止回路と、を有する表示装置の表示方法であって、前記焼き付き防止回路の制御部から表示領域全体の中の焼き付き防止処理を施すべき映像領域を指定する処理領域制御信号を出力する工程と、前記焼き付き防止回路の信号処理部において前記処理領域制御信号で指定された映像領域の映像信号に所定期間焼き付き防止処理を施す工程と、を有することを特徴とする表示方法。
【請求項１１】
タイマー部に焼き付き防止処理の開始時刻及び終了時刻又は開始時刻及び処理期間を設定する工程を有し、前記制御部は前記タイマー部の開始時刻及び終了時刻又は開始時刻及び処理期間を示す信号を入力して前記開始時刻と終了時刻との間、前記処理領域制御信号を出力し、前記信号処理部は前記制御部から前記処理領域制御信号を入力している間、前記焼き付き処理を施すことを特徴とする請求項１０に記載の表示方法。
【請求項１２】
タイマー部に焼き付き防止処理の開始時刻及び終了時刻又は開始時刻及び処理期間を設定する工程を有し、前記制御部は前記焼き付き防止処理の開始時刻に、前記処理領域制御信号を出力し、前記信号処理部は前記制御部から前記処理領域制御信号を入力した後、前記焼き付き処理を施し、前記終了時刻に又は前記処理期間の経過後、前記焼き付き処理を停止することを特徴とする請求項１０に記載の表示方法。
【請求項１３】
前記制御部には領域設定部が設けられており、この領域設定部において焼き付き防止処理を施す領域を記憶すると共にその位置データを出力することを特徴とする請求項１０乃至１２のいずれか１項に記載の表示方法。
【請求項１４】
前記制御部にはパターン選択部が設けられており、このパターン選択部において、記憶部に記憶されている焼き付き防止処理を施すべき映像領域に対応する位置に開口部が形成されている１又は複数のマスクパターンの中から１又は複数のパターンを選択することを特徴とする請求項１０乃至１２のいずれか１項に記載の表示方法。
【請求項１５】
前記信号処理部は、焼き付き防止処理として、設定値よりも高輝度の映像信号を設定値にまで低下させるクリップ処理を行うことを特徴とする請求項１０乃至１４のいずれか１項に記載の表示方法。
【請求項１６】
前記信号処理部は、焼き付き防止処理として、高輝度の映像信号のレベルを一定の割合で低下させることにより最大輝度を低下させるコントラスト圧縮処理を行うことを特徴とする請求項１０乃至１４のいずれか１項に記載の表示方法。
【請求項１７】
前記信号処理部は、焼き付き防止処理として、映像信号のレベルを一定の割合で低下させる輝度レベル削減処理を行うことを特徴とする請求項１０乃至１４のいずれか１項に記載の表示方法。
【発明の詳細な説明】
【技術分野】
【０００１】
本発明はプラズマディスプレイ等のマトリクス表示装置及びその表示方法に関し、特に、表示部の焼き付きを防止することができる表示装置及び表示方法に関する。
【背景技術】
【０００２】
面放電型のプラズマディスプレイパネル（ＰＤＰ：Plasma Display Panel）は、１対のガラス基板が対向して配置されており、その一方には表示面の行方向に延びる行電極が設けられ、他方には表示面の列方向に延び、データ電極である列電極が設けられている。また行電極上には誘電体層が設けられ、列電極上には蛍光体層が設けられている。更に、この蛍光体層上の各列電極間には隔壁が設けられており、この隔壁により１対のガラス基板の間の隙間が保持されている。これにより、１対のガラス基板間には隔壁により区画され、マトリクス状に配列された複数のセルが形成される。
【０００３】
上述の如く構成されたＰＤＰにおいては、１対の基板間にガスが封入されており、行電極と列電極とを夫々別個に駆動することにより、この駆動された行電極と列電極との交点部分に位置するセル内のガスにプラズマ放電を発生させ、このプラズマ放電によって列電極上に設けられた蛍光体を励起して発光させる。また、カラー表示を行うＰＤＰの場合は、各列電極上にＲ（赤）、Ｇ（緑）又はＢ（青）の何れかの色に発光する蛍光体層を形成し、各列電極を夫々別個に駆動する。この場合の駆動方法としては、行電極として、例えば、各行に共通に設けられたＸ電極と、各行毎に設けられたＹ電極とを交互に配置し、このＸ電極とＹ電極との間に交互に電圧パルスを印加して、半周期毎に極性の反転する放電を起こさせる方法、即ち、ＡＣ（交流）駆動方式が一般に適用されている。
【０００４】
このようなＡＣ駆動方式のＰＤＰ（以下、ＡＣ型ＰＤＰという）においては、セル内で一度放電が生じると、放電空間で生成された電子やイオンが誘電体層上に蓄積して壁電荷が形成されるが、この壁電荷が形成された後は、その電界の作用によって低い電圧でも放電するようになるため、この低い電圧を半周期毎に反転させることによって放電を維持できる。この機能はメモリ機能と呼ばれ、この機能に基づいて低い印加電圧で維持される放電は維持放電と呼ばれている。
【０００５】
ＡＣ型ＰＤＰにおいて画像の階調表示を行うためには、１フィールド期間の画像信号を複数のサブフレームに分割し、このサブフレーム毎に維持放電で発光させる時間（回数）を制御するサブフレーム表示方式が採用されている。具体的には、１フレーム毎にリセットしながら、例えば、各サブフレームに２の累乗倍で増加する維持放電期間を割り当てる。これにより、維持放電回数が多いセル程明るく発光するようになるため、階調表示を行うことができる。
【０００６】
以下、表示部にＡＣ型ＰＤＰを使用した従来の表示装置について説明する。図１８はＡＣ型ＰＤＰを備えた従来の表示装置を示すブロック図である。図１８に示すように、ＡＣ型ＰＤＰ１０１を使用した従来の表示装置１００においては、ＡＣ型ＰＤＰ１０１の列方向の端部には、列電極（データ電極）を駆動する集積回路であるデータドライバ回路１０２ａ乃至１０２ｅが設けられており、ＡＣ型ＰＤＰ１０１の行方向の端部には、行電極を駆動する集積回路であるスキャンドライバ回路１０３ａ乃至１０３ｃが設けられている。また、この従来の表示装置１００には、入力された映像信号の変換及び処理を行う映像信号処理回路と、同期信号に応じて駆動信号を出力する駆動信号発生回路と、この駆動信号発生回路から入力された駆動信号に基づいて各データドライバ回路に高圧電源を供給する高圧駆動回路とが設けられている。
【０００７】
このように、ＰＤＰ等の蛍光体を使用した表示パネルを使用した表示装置においては、同じ画像を長時間表示すると、蛍光体特性が変化して高輝度部分に焼き付きが発生し、他の映像を表示した場合でも焼き付きが目立ち、映像品質が著しく損なわれるという問題がある。そこで、従来の表示装置においては、静止画等のように動きがない画像を長時間表示する場合は、発光回数を減らしたり、電源投入毎又は一定時間経過後に画像の表示位置を僅かに移動させたり、映像信号を反転させたりすることによって蛍光体へのダメージを軽減させている（例えば、特許文献１乃至３参照）。発光回数を減らす方法としては、長寿命モードとして全体に維持パルス数を減らしたり、サブフィールド数を減らしたり、又は、インターレース駆動により同一画素の発光間隔を２倍にしたりする方法等がある。例えば、特許文献１に記載の表示装置においては、予め設定した時刻になると、焼き付き防止回路が作動して、表示画像の輝度を低下させたり、所定の輝度に戻したりすることで、画面の焼き付き防止を図っている。
【０００８】
また、特許文献２に記載の焼き付き防止回路は、画像データはメモリ部に記憶され、一定時間経過しても表示画像データに差が見られない場合は、記憶部から読み出されたプログラムにより、画像の表示位置を左右方向及び上下方向に所定画素数分移動させるものである。更に、特許文献３に記載の保護回路は、映像信号の表示率が所定率以下の状態が所定時間続いた場合、表示部に印加される極性を反転させるものである。そして、このような焼き付き防止回路又は保護回路は、一般に、駆動回路又は画像信号処理回路に設けられている。
【０００９】
【特許文献１】特開平９−２６６５５５号公報  （第４−８頁、第１−１２図）
【特許文献２】特許第３４５４２９２号公報  （第２頁、第１図）
【特許文献３】特開平９−１１４４１８号公報  （第３頁、第１図）
【発明の開示】
【発明が解決しようとする課題】
【００１０】
しかしながら、前述の従来の技術には以下に示す問題点がある。画面全体の発光回数を減らす方法は、表示画像が暗くなったり、観察者が表示画像にちらつきを感じたり（インターレース駆動）するといった問題点がある。また、表示位置をずらす方法は、焼き付きが生じた場合にその境界部をぼかす効果はあるが、焼き付き自体を防止する効果はない。更に、画像信号を反転させる方法は、処理に時間がかかり、運転効率が悪いという問題点がある。このように、従来の焼き付き防止方法では、画質の低下等の問題点があり、十分な効果が得られていない。
【００１１】
本発明はかかる問題点に鑑みてなされたものであって、表示画像の品質を低下させずに焼き付きを防止することができる表示装置及び表示方法を提供することを目的とする。
【課題を解決するための手段】
【００１２】
本願第１発明に係る表示装置は、画像を表示する表示部と、この表示部を駆動する駆動回路部と、を有する表示装置において、前記駆動回路部は、入力された映像信号に対し前記表示部の焼き付きを防止するための焼き付き防止処理を施す焼き付き防止回路を有し、この焼き付き防止回路は、表示領域全体の中の焼き付き防止処理を施すべき映像領域を指定する処理領域制御信号を出力する制御部と、前記処理領域制御信号で指定された映像領域の映像信号に所定期間焼き付き防止処理を施す信号処理部と、を有することを特徴とする。
【００１３】
カラー表示を行うＰＤＰにおける焼き付き現象は、画面の特定部分に長時間固定した高輝度信号が表示されることによって、その部分の蛍光体が焼き付くために発生する。従って、静止画像だけでなく、時間、日又は週単位で同じ画面構成の画像が繰返し表示されることも焼き付きの原因になる。そこで、本発明者等は、予め画面構成が分かっている場合、又は時刻及び字幕等を表示する位置が固定されている場合に、焼き付きが生じやすい映像領域にのみ焼き付きを軽減する映像信号処理を行う方法を見出した。
【００１４】
本発明においては、画像表示装置の駆動回路部に、焼き付き防止処理を施すべき映像領域を指定または選択して特定する制御部と、特定された映像領域の画像信に所定の期間焼き付き防止処理を施す映像信号処理部とを有する焼き付き防止回路を設け、特定の映像領域のみに焼き付き防止処理を施すため、ＰＤＰ等のように蛍光体を使用した表示パネルに高輝度の静止画領域がある画像を長時間表示しても、表示画像の品質を低下させずに焼き付き防止処理を行ことができる。
【００１５】
本発明の表示装置は、焼き付き防止処理の開始時刻及び終了時刻又は開始時刻及び処理期間を設定するタイマー部を有し、前記制御部は前記タイマー部の開始時刻及び終了時刻又は開始時刻及び処理期間を示す信号を入力して前記開始時刻と終了時刻との間、前記処理領域制御信号を出力し、前記信号処理部は前記制御部から前記処理領域制御信号を入力している間、前記焼き付き処理を施してもよい。又は、焼き付き防止処理の開始時刻及び終了時刻又は開始時刻及び処理期間を設定するタイマー部を有し、前記制御部は前記焼き付き防止処理の開始時刻に、前記処理領域制御信号を出力し、前記信号処理部は前記制御部から前記処理領域制御信号を入力した後、前記焼き付き処理を施し、前記終了時刻に又は前記処理期間の経過後、前記焼き付き処理を停止してもよい。前記タイマー部は前記焼き付き防止回路に設けることができる。
【００１６】
また、本発明の表示装置は、前記焼き付き防止回路の制御部に、焼き付き防止処理を施すべき映像領域を記憶し、その位置データを出力する領域設定部が設けられていてもよい。又は、焼き付き防止処理を施すべき映像領域に対応する位置に開口部が形成されている１又は複数のマスクパターンのデータが記憶された記憶部を有し、前記制御部には前記記憶部に記憶されたマスクパターンの中から１又は複数のパターンを選択するパターン選択部が設けられていてもよい。これにより、焼き付き防止処理を施す映像領域を容易に設定することができる。
【００１７】
また、前記信号処理部おいて施される焼き付き防止処理としては、例えば、設定値よりも高輝度の映像信号を設定値まで低下させるクリップ処理、高輝度の映像信号のレベルを一定の割合で低下させることにより最大輝度を低下させるコントラスト圧縮処理、又は、、映像信号のレベルを一定の割合で低下させる輝度レベル削減処理等を適用することができる。
【００１８】
本願第２発明に係る表示方法は、画像を表示する表示部と、この表示部を駆動する駆動回路部と、前記駆動回路部に設けられ入力された映像信号に対し前記表示部の焼き付きを防止するための焼き付き防止処理を施す焼き付き防止回路と、を有する表示装置の表示方法であって、前記焼き付き防止回路の制御部から表示領域全体の中の焼き付き防止処理を施すべき映像領域を指定する処理領域制御信号を出力する工程と、前記焼き付き防止回路の信号処理部において前記処理領域制御信号で指定された映像領域の映像信号に所定期間焼き付き防止処理を施す工程と、を有することを特徴とする。
【発明の効果】
【００１９】
本発明によれば、時刻表示領域、字幕表示領域及び高輝度静止画領域等の焼き付きが発生しやすい映像領域を特定し、その特定した領域のみに映像信号処理を施すため、この特定領域以外の領域の表示画像品質を低下させることなく、表示部の焼き付きを防止することができる。
【発明を実施するための最良の形態】
【００２０】
以下、本発明の実施形態に係る表示装置について、添付の図面を参照して具体的に説明する。先ず、本発明の第１実施形態に係る表示装置について説明する。図１は本実施形態の表示装置を示すブロック図である。なお、図１においては、図１８に示す従来の表示装置１００の構成要素と同一の構成要素には同一の符号を付し、その詳細な説明を省略する。本実施形態の表示装置１０においては、表示部に表示パネルとしてＡＣ型カラーＰＤＰ１０１が設けられており、このＡＣ型ＰＤＰ１０１の列方向の端部にはデータドライバ回路１０２ａ乃至１０２ｅが、行方向の端部にはスキャンドライバ回路１０３ａ乃至１０３ｃが夫々設けられている。このデータドライバ回路１０２ａ乃至１０２ｅは列電極（データ電極）に接続され、スキャンドライバ回路１０３ａ乃至１０３ｃは行電極に接続されている。また、駆動回路部には、入力された映像信号の変換及び処理を行う映像信号処理回路と、同期信号に応じて各回路に駆動信号を出力する駆動信号発生回路と、この駆動信号発生回路から入力された駆動信号に基づいて各データドライバ回路に高圧電源を供給する高圧駆動回路とが設けられている。更に、映像信号処理回路の入力側には、焼き付き防止回路が設けられており、映像信号はこの焼き付き防止回路を経由して映像信号処理回路に入力される。
【００２１】
以下、この焼き付き防止回路について詳細に説明する。図２は本実施形態の表示装置における焼き付き防止回路の構成を示すブロック図である。図２に示すように、焼き付き防止回路には、映像信号処理回路１、時刻／領域制御回路２及びプログラマブルタイマー回路３が設けられており、映像信号処理回路１は映像信号入力端子の直後に配置されている。また、図３はプログラマブルタイマー回路３の構成を示すブロック図である。図３に示すように、プログラマブルタイマー回路３は、時刻発生回路、時刻設定入力回路及びマイクロプロセッサ等のタイマー制御回路より構成されている。そして、このプログラマブルタイマー回路３には、予め、焼き付きが発生しそうな映像の表示開始時刻及び表示終了時刻が設定されている。なお、毎日又は毎週、同一の画像を表示する場合は、毎日又は毎週所定の時刻に動作するようにプログラマブルタイマー回路３に設定することもでき、更に、常時動作するように設定することもできる。そして、プログラマブルタイマー回路３からは、設定した時刻に時刻／領域制御回路２へ時刻制御信号が出力される。
【００２２】
次に、上述の如く構成された焼き付き防止回路の動作について説明する。この焼き付き防止回路においては、入力された映像信号及び同期信号は、映像信号処理回路１を経由して出力される。また、映像信号の基準となるクロック、水平及び垂直の同期信号は、時刻／領域制御回路２へも入力される。更に、予め設定した時刻になると、プログラマブルタイマー回路３から時刻／領域制御回路２へ時刻制御信号が出力され、この時刻制御信号に応じて、時刻／領域制御回路２から予め設定された処理領域を指定する信号処理制御信号Ｇが、映像信号処理回路１へ出力される。そして、映像信号処理回路１は、時刻／領域制御回路２から信号処理制御信号Ｇが入力されている期間のみ、入力された映像信号にクリップ、コントラスト圧縮又は輝度レベル削減等の信号処理を施す。
【００２３】
図４（ａ）及び（ｂ）はクリップ処理を示す波形図であり、図４（ａ）は入力時の映像信号であり、図４（ｂ）は出力時の映像信号である。図４（ａ）及び（ｂ）に示すように、クリップ処理は、所定の値（クリップレベル）以上の映像信号をクリップレベルまで低下させて出力する処理であり、クリップレベルは周辺画素レベルに一定値を上乗せした値、又は固定レベル等を採用することができる。
【００２４】
また、図５（ａ）及び（ｂ）はコントラスト圧縮処理を示す波形図であり、図５（ａ）は入力時の映像信号であり、図５（ｂ）は出力時の映像信号である。図５（ａ）及び（ｂ）に示すように、コントラスト圧縮処理は、高輝度側の映像信号レベルを一定の割合で減少させ、最大輝度を本来の映像信号より低く抑える処理である。その圧縮の方法としては、信号レベルを一定の割合で低下させる方法の他、波形を非線形にすることにより全体の映像信号レベルの低下を防止する方法等、種々の方法を採用することができる。なお、必ずしも高輝度側を圧縮する必要はなく、映像信号全体が明るい場合には、低輝度側の映像信号レベルを増加してもよい。
【００２５】
更に、図６（ａ）及び（ｂ）は輝度レベル削減処理を示す波形図であり、図６（ａ）は入力時の映像信号であり、図６（ｂ）は出力時の映像信号である。図６（ａ）及び（ｂ）に示すように、輝度レベル削減処理は、入力された映像信号から一定値を減算し、輝度レベルを低下させる処理であり、高輝度領域における焼き付きを低減する効果がある。この処理を施すと、その領域全体が暗くなるが、映像の相対的な輝度差は保存される。
【００２６】
前述したように、本実施形態の表示装置１０においては、時刻／領域制御回路２から信号処理制御信号Ｇが入力されている期間中のみ前述の処理が実施される。このため、信号処理制御信号Ｇが入力されない期間、即ち、焼き付き対策が不要な領域の信号に対しては前述の処理を行わないため、全体の画質を低下させることなく、画像の焼き付きを防止することができる。
【００２７】
次に、時刻／領域制御回路２の動作について説明する。図７は時刻／領域制御回路２を示すブロック図である。また、図８はその領域設定入力回路を示すブロック図であり、図９は領域設定入力回路の動作を示す図である。先ず、処理領域の設定方法について説明する。処理領域を設定する場合、ロータリエンコーダ及びプッシュボタンスイッチ等の入力装置により、信号処理を行う範囲（焼き付きが発生することが予想される範囲）を指定する。具体的には、図９に示すように、時刻／領域制御回路２の領域設定入力回路において、列方向については垂直同期信号に基づき、開始位置として走査線ａが、終了位置として走査線ｂが指定される。一方、行方向については水平同期信号に基づき、開始位置としてドットｐが、終了位置としてドットｑが指定される。これにより、処理領域として、画素単位の矩形領域が指定される。なお、この信号処理領域は複数設定することができる。そして、図８に示すように、処理領域に関するデータは、領域設定入力回路に設けられたマイクロコンピュータ等のスイッチ入力編集回路に入力され、設定データに編集されて記憶保持される。
【００２８】
なお、本実施形態の表示装置１０においては、処理領域設定時は、プログラマブルタイマー回路３から時刻制御信号が出力されなくても、時刻／領域制御回路２から信号処理制御信号Ｇが出力される。これにより、作業者は処理範囲を入力しながら、その範囲を視覚的に確認することができる。また、本実施形態の表示装置における処理領域設定の方法は前述の方法に限定されるものではなく、例えば、入力装置としては、マウス及びタッチパネル等のように、ヒューマンインターフェースが可能な種々の装置を使用することができる。更に、処理領域の形状は矩形でなくてもよく、焼き付きが発生する形状に合わせてもよく、回路を追加することによって、ビットマップ等でより複雑な形状を指定することもできる。
【００２９】
次に、設定された処理領域のデータに基づいて信号処理制御信号Ｇを出力する方法について説明する。図７に示すように、領域設定入力回路５から出力されたブロック選択信号、設定モード信号、水平範囲信号及び垂直範囲信号は、２次元領域指定回路４ａ、４ｂ及び４ｃに入力される。図１０は２次元領域指定回路４を示すブロック図である。２次元領域指定回路４においては、入力された各信号に基づいてデコード値及び指定回路自身の指定を行う。具体的には、処理領域の水平区間については、水平カウンタの値から開始位置と終了位置をデコードして、セットリセットフリップフロップにより水平方向のタイミングパルスを発生する。同様に、処理領域の垂直区間については、垂直カウンタの値から開始位置と終了位置をデコードして、セットリセットフリップフロップにより垂直方向のタイミングパルスを発生する。そして、この２つの論理積をとることによって、領域設定入力回路において設定された処理領域に対応する信号処理制御信号Ｇ１が得られる。なお、図７に示すように、２次元領域指定回路が複数設けられている場合は、各回路で得られた信号処理制御信号は論理和で合成される。そして、この信号処理制御信号Ｇ１とプログラマブルタイマー回路３から出力された時刻制御信号との論理積が、最終的な信号処理制御信号Ｇとして出力される。
【００３０】
これにより、設定した時刻にプログラマブルタイマー回路３から時刻制御信号が入力されると、設定した処理領域に対応する映像信号処理制御信号Ｇが、設定した期間中のみ映像信号処理回路１へ出力される。図１１はその際の制御信号の波形と処理領域形状とを示す図である。時刻／領域制御回路２からは、映像信号処理制御信号Ｇとして、画面表示範囲７の中から処理設定領域６の形状に対応した制御信号が出力される。具体的には、図１１に示すように、例えば、走査線ａ及び走査線ｂには、夫々信号処理領域とそれ以外の領域とでレベルが異なる制御信号が入力される。
【００３１】
図１２（ａ）は焼き付き処理前の表示画像を示す模式図であり、図１２（ｂ）は処理領域設定中の表示画像を示す模式図であり、図１２（ｃ）は焼き付き防止回路動作中の表示画像を示す模式図である。なお、図１２（ｃ）においては、処理設定領域と区別するため、焼き付き防止処理領域にハッチングをかけている。上述したように、本実施形態の表示装置においては、図１２（ａ）に示す時刻表示、字幕又は高輝度静止画像等があり、焼き付きが発生しやすい画像を表示する場合に、図１２（ｂ）に示すように、時刻又は字幕が表示される領域及び高輝度静止画像領域等の焼き付きの発生が予測される領域を特定し、予め、時刻／領域制御回路２の領域設定入力回路５に登録しておく。そして、この領域設定入力回路５に登録された処理設定領域６の位置データ、並びにプログラマブルタイマー回路３に登録された処理開始及び終了時刻のデータに基づいて、焼き付きの発生が予測される領域の映像信号に対してのみ、選択的に焼き付きを防止する映像信号処理を施す。従って、本実施形態の表示装置においては、図１２（ｃ）に示すように、焼き付き防止処理領域９以外の部分の映像信号には焼き付き防止処理を施さないため、表示画像における品質の低下を最小限に抑えることができる。その結果、従来の表示装置のように全ての映像信号に焼き付き防止処理を施す場合に比べて、焼き付き防止処理時の表示画像の品質を向上させることができる。
【００３２】
また、本実施形態の表示装置１０は、表示部であるカラーＰＤＰの構造、製法及び駆動方式等を変更する必要がないため、従来の表示装置の映像信号処理回路に、前述の焼き付き防止回路を組み込んだり、又は、外付けしたりすることによって製造することもできる。なお、本実施形態の表示装置装置においては、映像信号処理回路の入力側に焼き付き防止回路を設けているが、この焼き付き防止回路は映像信号処理回路の出力側に設け、ＰＤＰへ映像信号を供給する側で同様の処理を施すこともできる。
【００３３】
次に、本発明の第２実施形態に係る表示装置について説明する。図１３は本発明の第２の実施形態の表示装置における焼き付き防止回路の構成を示すブロック図である。また、図１４はその時刻／領域制御回路１２を示すブロック図である。図１３及び１４に示すように、本実施形態の表示装置は、代表的な映像信号に対応可能な複数の焼き付き防止用マスクパターンデータが記憶されたＲＯＭを備えており、焼き付き防止回路の時刻／領域制御回路１２には、マスクパターン選択回路１５が設けられている。なお、本実施形態の表示装置における時刻／領域制御回路１２以外の構成は、前述の第１実施形態の表示装置と同様である。
【００３４】
次に、本実施形態の表示装置における時刻／領域制御回路１２の動作について説明する。図１５はマスクパターン選択回路１５を示すブロック図であり、図１６（ａ）乃至（ｃ）はマスクパターンを示す図である。また、図１７は２次元領域指定回路１４を示すブロック図である。時刻／領域制御回路１２においては、例えば、図１６（ａ）乃至（ｃ）に示すように、焼き付き防止処理をすべき映像領域（処理設定領域８）に開口部が形成された複数のマスクパターンの中から、プッシュボタンスイッチ等の入力装置によって、表示画像に応じて１つのパターンが選択される。そして、図１５に示すように、マスクパターン選択回路１５は、入力されたマスクパターン選択データを、マイクロコンピュータ等のスイッチ編集回路により編集されてマスクパターン選択信号として出力される。
【００３５】
図１７に示すように、マスクパターン選択回路１５から出力されたマスクパターン選択信号は、クロック信号、水平同期信号及び垂直同期信号と共に、２次元領域指定回路１４に入力される。そして、２次元領域指定回路１４においては、このマスクパターン選択信号に基づきマスクデータメモリ（ＲＯＭ）から選択されたマスクパターンデータを読み出す。これにより、時刻／領域制御回路１２は、プログラマブルタイマー回路１３から入力される時刻制御信号に応じて、信号処理制御信号Ｇを出力する。このような構成にすることにより、多少の冗長性は持つ場合があるが、前述の第１実施形態の表示装置１０よりも処理領域の設定操作が容易になる。
【００３６】
なお、前述の第１及び第２実施形態の表示装置においては、焼き付き防止回路内にプログラマブルタイマー回路が設けられているが、本発明はこれに限定されるものではなく、例えば、表示装置に接続された市販のタイマー等から時刻／領域制御回路に時刻信号を入力してもよい。また、前述の第１及び第２実施形態の表示装置においては、予め、設定された領域に焼き付き防止処理を行うが、本発明はこれに限定されるものではなく、例えば、入力された映像信号の変化を判別し、画像に変化がない又は少ない領域については、その位置データを映像信号処理回路に出力する回路を設けることにより、予め設定した領域以外の領域においても、必要に応じて焼き付き防止処理を施すことができる。
【図面の簡単な説明】
【００３７】
【図１】本発明の第１実施形態の表示装置を示すブロック図である。
【図２】本発明の第１実施形態の表示装置における焼き付き防止回路の構成を示すブロック図である。
【図３】プログラマブルタイマー回路３の構成を示すブロック図である。
【図４】（ａ）及び（ｂ）はクリップ処理を示す波形図であり、（ａ）は入力時の映像信号であり、（ｂ）は出力時の映像信号である。
【図５】（ａ）及び（ｂ）はコントラスト圧縮処理を示す波形図であり、（ａ）は入力時の映像信号であり、（ｂ）は出力時の映像信号である。
【図６】（ａ）及び（ｂ）は輝度レベル削減処理を示す波形図であり、（ａ）は入力時の映像信号であり、（ｂ）は出力時の映像信号である。
【図７】時刻／領域制御回路２を示すブロック図である。
【図８】領域設定入力回路５を示すブロック図である。
【図９】領域設定入力回路５の動作を示す図である。
【図１０】２次元領域指定回路４を示すブロック図である。
【図１１】制御信号の波形と処理領域形状とを示す図である。
【図１２】（ａ）は焼き付き処理前の表示画像を示す模式図であり、（ｂ）は処理領域設定中の表示画像を示す模式図であり、（ｃ）は焼き付き防止回路動作中の表示画像を示す模式図である。
【図１３】本発明の第２の実施形態の表示装置における焼き付き防止回路の構成を示すブロック図である。
【図１４】時刻／領域制御回路１２を示すブロック図である。
【図１５】マスクパターン選択回路１５を示すブロック図である。
【図１６】（ａ）乃至（ｃ）はマスクパターンを示す図である。
【図１７】２次元領域指定回路１４を示すブロック図である。
【図１８】ＡＣ型カラーＰＤＰを備えた従来の表示装置を示すブロック図である。
【符号の説明】
【００３８】
１、１１；映像信号処理回路
２、１２；時刻／領域制御回路
３、１３；プログラマブルタイマー回路
４、４ａ〜４ｃ、１４；２次元領域指定回路
５；領域設定入力回路
６、８；処理設定領域
７；画面表示範囲
９；焼き付き防止処理領域
１０、１００；表示装置
１５；マスクパターン選択回路
１０１；ＡＣ型ＰＤＰパネル
１０２ａ〜１０２ｅ；データドライバ回路
１０３ａ〜１０３ｃ；スキャンドライバ回路
【図１】
2005202050.tif 000003
【図２】
2005202050.tif 000004
【図３】
2005202050.tif 000005
【図４】
2005202050.tif 000006
【図５】
2005202050.tif 000007
【図６】
2005202050.tif 000008
【図７】
2005202050.tif 000009
【図８】
2005202050.tif 000010
【図９】
2005202050.tif 000011
【図１０】
2005202050.tif 000012
【図１１】
2005202050.tif 000013
【図１２】
2005202050.tif 000014
【図１３】
2005202050.tif 000015
【図１４】
2005202050.tif 000016
【図１５】
2005202050.tif 000017
【図１６】
2005202050.tif 000018
【図１７】
2005202050.tif 000019
【図１８】
2005202050.tif 000020